(57)【要約】【課題】撮影機及び撮影装置を持った携帯電話機の映像表示板の映像をレンズ側より双眼鏡により確認して撮影位置、構図を変える事ができ又シャッターを切り発信機より発信する電波を受信した後設定時間後に撮影出来る．【解決手段】裏側に三脚を取り付けた撮影機取り付け台の上側に水平方向駆動装置垂直方向駆動装置、の先端部に撮影機取付け具を設け、更に電波を受ける受信機、タイマー、差込プラグを同じ回路上に設計し、双眼鏡、水平方向操作ボタン、垂直方向操作ボタンを取り付ける事による  撮影角度を調節する双眼鏡付き操作機．【選択図】図１
2010263594.tif 000002
【特許請求の範囲】
【請求項１】
裏側に三脚（１３）を取り付けた撮影機取り付け台（８）の上側に水平方向駆動装置（１１）垂直方向駆動装置（９）の先端部に撮影機取付け具（１０）を設け、双眼鏡（６）、水平方向操作ボタン（４）、垂直方向操作ボタン（３）を取り付けた操作機（１）の発信機（５）よりの電波により背面鏡（１５）を確認しながら撮影機又は携帯電話機（１７）の撮影角度を調節する双眼鏡付き操作機
【請求項２】
三脚（１３）と撮影機取り付け台（８）間に水平方向駆動装置（１１）、垂直方向駆動装置（９）内蔵した駆動装置箱（２１）を設け、更に双眼鏡（６）、水平方向操作ボタン（４）、垂直方向操作ボタン（３）を取り付けた操作機（１）の発信機（５）よりの電波により背面鏡（１５）を確認しながら撮影機又は携帯電話機（１７）の撮影角度を調節する双眼鏡付き操作機
【請求項３】
裏側に三脚（１３）を取り付けた鏡取り付け台（１４）の上側に背面鏡駆動モーター（１６）を持った背面鏡（１５）を取り付け双眼鏡（６）、を設け鏡角度操作ボタン（７）を取り付けた操作機（１）の発信機（５）よりの電波により鏡角度を調節する双眼鏡付き操作機．
【請求項４】
撮影機取り付け台（８）は電波を受ける受信機（１２）を設けシャッター（２）より電波を受信した後タイマー（１９）を電流が流れ、差込プラグ（１８）により撮影機又は携帯電話機（１７）の電子シャッター（２０）を作動させる為全て同じ回路上に設計した双眼鏡付き操作機．
【発明の詳細な説明】
【技術分野】
【０００１】本発明は、デジタルカメラ及び携帯電話等の撮影時に映像確認をしながら撮影が出来る装置に関するものである．
【背景技術】
【０００２】従来自動撮影を行う時にレンズの背面より想像で行っていたが、前面より映像を確認しながら撮影の視界を調節出来る装置に関するものである．
【発明の開示】
【発明が解決しようとする課題】
【０００３】そのために次のような問題点があった．
（イ）映像表示面がレンズ側より見えなかった．
（ロ）撮影機が邪魔であった．
（ハ）撮影視界を調節出来なかった．
（ニ）シャッターをセットしてから撮影機から急いで撮影範囲まで行く必要があった．
（ホ）別の画面を使用して撮影する方法があるが非常に高価で又形状も大きく一般には使用されていない．
【課題を解決する手段】
【０００４】上記の問題点を解決する為映像表示板の背面に平行又は傾斜角度を持った鏡を取り付けるか又は別の三脚に鏡取り付け台を取付ける．
垂直方向駆動装置及び水平方向駆動装置を持った撮影機取り付け具を上面に設け、撮影機取り付け台に取り付け、更に撮影機取付け具に撮影機又は携帯電話機を取付ける．
更に撮影機取り付け台の下面には三脚を又正面には電波を受ける受信機を取り付け、受信機、タイマーと同じ回路上のケーブルに差込プラグを設け、撮影機又は携帯電話機の電子シャッターに連動する．
又双眼鏡を設けた操作機には電波により電子シャッターに連動する．
垂直方向操作ボタン、水平方向操作ボタン、鏡角度操作ボタン、シャッター、発信機を取付ける．
操作機の発信機より発する電波により鏡取り付け台に取付けた背面鏡駆動モーター、により背面鏡を動かしたり又撮影機、電話機、携帯電話機の水平方向及び垂直方向の角度を変える事ができる．
【発明の効果】
【０００５】その結果、次の効果が生じる．
（イ）映像表示板をレンズ側より直接又は双眼鏡により遠方より見る事が出来る．
（ロ）操作機の発信機より電波が受信され撮影機取り付け台のタイマーでシャッターが切れる間の時間を調節出来るので操作機より発信した時間後に撮影が出来る．
（ハ）遠方より背面鏡の角度を変える事ができ、この為撮影機の視界の別の位置で撮影が出来る．
（ニ）方法及び機構が簡単なので従来の方法に比べて非常に安く、小型に出来る．
（ホ）撮影機及び撮影装置を持つた携帯電話の用途を広げる事が出来る．
【発明を実施する為の最良の形態】
【０００６】以下本発明の実施形態について説明する．
（イ）撮影機取り付け台（８）に垂直方向駆動装置（９）水平方向駆動装置（１１）を設けこれに連動した撮影機取付け具（１０）を上面に設け、更にこれらの装置を動作する為の受信機（１２）を設ける．
（ロ）背面鏡駆動モーター（１６）を取り付けた背面鏡（１５）を鏡取り付け台（１４）に取付ける．
（ハ）撮影機取り付け台（８）は電波を受ける受信機（１２）を設けシャッター（２）より電波を受信した後タイマー（１９）を電流が流れ、差込プラグ（１８）により撮影機又は携帯電話機（１７）の電子シャッター（２０）を作動させる為全て同じ回路上に設計する．
（ニ）双眼鏡（６）を取り付けた操作機（１）には垂直方向の動作信号を送る垂直方向操作ボタン（３）水平方向操作ボタン（４）及び背面鏡駆動モーター（１６）の動作信号を送る鏡角度操作ボタン（７）を設け、更にシャッター（２）の信号を送る発信機（５）を取付ける．
本発明は以上のような構成で、これを使用する時は撮影機又は携帯電話機（１７）を撮影機取付け具（１０）に取り付け、映像表示板（２２）の後側に背面鏡（１５）取り付けた鏡取り付け台（１４）に三脚（１３）により設定する．
操作機（１）の双眼鏡（６）により背面鏡（１５）を見ながら垂直方向操作ボタン（３）より発する電波により垂直方向駆動装置（９）を動かし水平方向操作ボタン（４）より発する電波により水平方向駆動装置（１１）を動かし又鏡角度操作ボタン（７）より発する電波により背面鏡駆動モーター（１６）を動かす．
最適の撮影状態が得られたらシャッター（２）を切ると発信機（５）より電波が発信され受信装置（１８）で受信されタイマー（１９）の設定時間後  電子シャッター（２０）が切れ撮影される．
図１  は撮影機取り付け台（８）が固定され撮影機取付け具（１０）が水平方向、垂直方向に動作する方法である．
図３  は撮影機取付け具（１０）と三脚（１３）間に駆動装置箱（２１）を設け撮影機取り付け台（８）を作動させる構造である．
【図面の簡単な説明】
【０００７】
【図１】本発明の斜視図である．
【図２】撮影機又携帯電話機を使用している本発明の斜視図である．
【図３】駆動装置を撮影機取り付け台の下に設けた斜視図である．
【図４】本発明の使用例図である．
【符号の説明】１．操作機  ２．シャッター  ３．垂直方向操作ボタン  ４．水平方向操作ボタン
５．発信機  ６．双眼鏡  ７．鏡角度操作ボタン  ８撮影機取り付け台
９．垂直方向駆動装置  １０．撮影機取付け具  １１．水平方向駆動装置
１２．受信機  １３．三脚  １４．鏡取り付け台  １５．背面鏡  １６．背面鏡
１６．背面鏡駆動モーター  １７．撮影機又は携帯電話機  １８．差込プラグ
１９．タイマー  ２０電子シャッター  ２１．駆動装置箱  ２２．映像表示板
【図１】
2010263594.tif 000003
【図２】
2010263594.tif 000004
【図３】
2010263594.tif 000005
【図４】
2010263594.tif 000006